(57)【特許請求の範囲】
【請求項１】
隣接する引出の上下境界線と高さを等しくする下部部材と該下部部材を上方に延長する第１上部部材とからなる前板を有する収納筐体、該第１上部部材から離間して略水平に設けられた棒状の第１タオル掛け、および該第１タオル掛けよりさらに離間して設けられ該第１タオル掛けへの所定方向からの接触を防止しかつ当該引出の引き手として機能するように該第１上部部材の上端を高さ方向に跨いで該第１上部部材に固定される第１保護部材からなり、水平方向にスライド自在に設けられた引出と、
前記第１上部部材の上方向で、シンクの手前を閉塞し、該第１上部部材と略同一面を形成する第１幕板と、
前記第１上部部材の横方向で該第１上部部材と略同一面を形成する第２上部部材、該第２上部部材の前面側において前記第１タオル掛けと略同一線上に形成される第２タオル掛け、および前記第１幕板の前面側において前記第１保護部材と水平方向に形状が連なる第２保護部材からなり、前記第１幕板に連結固定された第２幕板と、
を備えることを特徴とする、システムキッチン。
【請求項２】
前記第１幕板および第２上部部材は、それぞれ長尺な板で構成され、前記第１幕板と第２上部部材とをＬ字形状に組み合わせた状態で前記第１上部部材と嵌合することを特徴とする、請求項１に記載のシステムキッチン。
【請求項３】
当該収納筐体前板の上端は、隣接する他の引出の上端より高い位置に形成され、
当該収納筐体前板の内面上方に設けられフックが嵌合可能となるように内部に幅広部を有する略水平方向のガイド溝を備えることを特徴とする、請求項１または２に記載のシステムキッチン。
【発明の詳細な説明】
【技術分野】
【０００１】
本発明は、タオル掛けが設けられたシステムキッチンに関する。
【背景技術】
【０００２】
キッチンでは、調理等に水を多用するため、水で濡れた手を頻繁に拭う必要が生じる。そこで、ユーザは、このような水回りの近くにタオル等吸水性を有するものを配置して対処している。
【０００３】
そのとき、ユーザは、調理作業の効率化のため、タオル等を極力近くに配置したいと考えるが、シンクの前面にタオルを配置すると、自己の体がその濡れたタオルに接触し、自己の衣服が水気を帯びてしまう。また、タオルに覆われた収納部の開閉も困難になる問題も生じていた。
【０００４】
そこで、タオルの利用時にはシンクの手前に配置し、不要なときにはガイドレールに沿って端部方向にスライドさせてタオルを待避させることが可能な技術が提案されている（例えば、特許文献１）。かかる技術では、タオルを収納部前面から横方向に自由に動かすことができるので、そのタオルの待避により露出した収納部を容易に開閉することができる。
【特許文献１】特開２００７−０００６５０号公報
【発明の開示】
【発明が解決しようとする課題】
【０００５】
しかし、かかる技術においても、タオルをスライドさせるといった行為は手間であり、頻繁にタオルを利用する場合、却って煩雑になる問題があった。結局、スライド処理が面倒になってくると、タオルは依然としてユーザとシンクとの間に留まることとなり、従来同様、自己の体がそのタオルに接触してしまう。
【０００６】
また、ユーザは、水回り作業時にキッチンに寄り掛かりつつ作業を行うことが多くなるので、その接触によりタオルが滑り落ちてしまう問題も生じていた。
【０００７】
本発明は、従来におけるタオル掛けの上記問題点に鑑みてなされたものであり、本発明の目的は、タオル掛けへのユーザの接触を防止することで、タオル掛けの使い勝手を向上させると共に、美観や高級感を維持したままでシステムキッチンに収納機器を組み込む領域を確保した、新規かつ改良されたシステムキッチンを提供することを目的としている。
【課題を解決するための手段】
【０００８】
本発明は、タオル掛けの使い勝手を向上させると共にその美観や高級感をも向上させる引出を見出し、さらにそのような引出の横に組み込み式の収納機器を並置したとしても引出外観に備わる美観や高級感を維持することを特徴としている。
【０００９】
上記課題を解決するために、本発明のある観点によれば、隣接する引出の上下境界線と高さを等しくする下部部材と下部部材を上方に延長する第１上部部材とからなる前板を有する収納筐体、第１上部部材から離間して略水平に設けられた棒状の第１タオル掛け、および第１タオル掛けよりさらに離間して設けられ第１タオル掛けへの所定方向からの接触を防止しかつ当該引出の引き手として機能するように第１上部部材の上端を高さ方向に跨いで第１上部部材に固定される第１保護部材からなり、水平方向にスライド自在に設けられた引出と、第１上部部材の上方向で、当該システムキッチンに固定されシンクの手前を閉塞し、第１上部部材と略同一面を形成する第１幕板と、第１上部部材の横方向で第１上部部材と略同一面を形成する第２上部部材、第２上部部材の前面側において第１タオル掛けと略同一線上に形成される第２タオル掛け、および幕板の前面側において第１保護部材と水平方向に形状が連なる第２保護部材からなり、第１幕板に連結固定された第２幕板と、を備えることを特徴とする、システムキッチンが提供される。
【００１０】
上記引出において、保護部材をタオル掛けとユーザとの間に設ける構成により、ユーザがシンクに寄り掛かったとしても、身体がタオルに直接接触せず、吸水したタオルの水気を逆にユーザの衣服が吸ってしまうといった状況を回避できる。従って、ユーザがキッチンに寄り掛かりつつ水回りの作業を行ったとしても、タオルが滑り落ちてしまうこともない。
【００１１】
また、保護部材が、棒状のタオル掛けを覆うことができる程度の大きさで形成されているので、引き手としての好適に機能し、他の作業をしつつ、手探りで引き手を引くことが可能となり、作業性を向上することができる。また、このような保護部材の厚みによってタオル掛けの支持強度も高くなり、手についた水を拭うときのタオル掛けへの負荷による破損の事態を招くことがなくなる。
【００１２】
さらに、保護部材は、収納筐体の第１上部部材を高さ方向に跨いで形成されているので、引出を収納したときに、第１上部部材と、システムキッチン側に固定された第１幕板との境目が保護部材によって隠れ、美観を向上させることが可能となる。従って、従来における、境目を作らないため収納筐体前板を上端部いっぱいに高く形成して化粧板の機能をもたせるといった対応の必要もなくなる。このように、無駄に高く形成される前板を低く抑えることで内容物を容易に収容、取り出しすることが可能となり、作業性が向上する。
【００１３】
また、システムキッチンのシンク下の空間を有効利用するため、上記引出以外に組み込み式の収納機器（食器洗浄機や乾燥機）を並置したとしても、引出外観に備わる美観や高級感を維持することが可能である。これは、第１タオル掛けや第１保護部材と第２タオル掛けや第２保護部材との連続性により達成される。
【００１４】
引出を収納した状態において第１および第２保護部材は、シンクの幅による境界間の長さと等しくなり一体感が生じ、さらにシステムキッチン側に曲線を描きながら着地するのでシステムキッチンに外観上の連続性も生じ一体感が増す。また、引出をスライドした状態では、引出と共に第１保護部材もスライドし、一体化した第１保護部材と第２保護部材とが前後に分離して意外性が生じる。
【００１５】
第１幕板および第２上部部材は、それぞれ長尺な板で構成され、第１幕板と第２上部部材とをＬ字形状に組み合わせた状態で第１上部部材と嵌合してもよい。
【００１６】
可動すべき引出の前板は、第１および第２上部部材によるＬ字形状の幕板に嵌合する。かかる第１および第２上部部材を、全長に渡って断面形状が等しい長尺な板で構成することで、安価かつ処理の迅速化が図れる押し出し成形を用いることができる。ここで、２つの部材を連結するとその間に境界線が生じるが、かかる境界線は第２保護部材の背後に隠れるので、美観を損なわない。
【００１７】
また、当該収納筐体前板の上端は、隣接する他の引出の上端より高い位置に形成され、当該収納筐体前板の内面上方に設けられフックが嵌合可能となるように内部に幅広部を有する略水平方向のガイド溝を備えてもよい。
【００１８】
レードル等の調理器具は、棒状であったり、載置不安定なものが多く、その全長は比較的長い場合が多い。また、収納筐体前板の内面は、他の内面と比較して高く形成されている。従って、収納筐体前板の内面上方にガイド溝を設ける構成により、前板の内面の高さを有効利用することができ、長めの調理器具であっても底面に当接することなく、吊持することが可能となる。
【発明の効果】
【００１９】
以上説明したように本発明のシステムキッチンによれば、タオル掛けへのユーザの接触を防止することで、タオル掛けの使い勝手を向上させると共に、美観や高級感を維持したままでシステムキッチンに収納機器を組み込む領域を確保することができる。
【発明を実施するための最良の形態】
【００２０】
以下に図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（システムキッチン）
本発明の実施形態によるシステムキッチンとして、ここでは、特別な敷居を設けることなく、リビングとダイニングが１つの部屋で共存する対面式のオープンキッチンを挙げる。かかるオープンキッチンでは、対面式カウンタータイプのキッチンにより、家族や友人とのコミュニケーションがとりやすく、また、キッチン周辺でくつろいだ時間を過ごすことができる。ここで、システムキッチンは、シンク等のキッチン設備を機能的に一体化したものを指す。以下、本実施形態による引出や第１幕板、第２幕板を説明する前に、理解を容易にするため、そのような構成要素を備え付けるシステムキッチンを説明する。
【００２２】
図１は、本実施形態によるシステムキッチン１００の概略的な構成を説明するための外観斜視図である。かかるシステムキッチン１００は、対面式カウンタ１１０と壁側戸棚１２０とに大別できる。なお、以下の実施例に示す寸法、材料、その他具体的な数値などは、発明の理解を容易とするための例示に過ぎず、特に断る場合を除き、本発明を限定するものではない。
【００２３】
対面式カウンタ１１０には、シンク１４０と、シンク１４０に対して湯水を供給する水栓１４２と、加熱調理器１４４と、加熱調理器１４４からの湯気および熱を屋外に放出するレンジフード１４６と、煙および熱をレンジフード１４６に案内する半透明の案内板１４８と、ワークトップ１５０と、が設けられ、さらに、軽食やおやつ等を楽しめるカフェテーブル１６０と、複数の椅子１６２と、本を収納可能なマガジン収納部１６４と、を備えることができる。そして、カフェテーブル１６０はキッチン本体側からの照明に照らされる。
【００２４】
ここで、水回りを形成するシンク１４０は、樹脂やステンレス鋼板等の金属を材料として用い、プレス成形や注型成形、インジェクション成形等により水切り凹部や排水口と一体的に形成される。また、加熱調理器１４４は、ガスコンロや石油コンロを利用することができるが、図示したように上面に耐熱ガラス板やセラミック板を設けたＩＨヒータであってもよい。
【００２５】
また、壁側戸棚１２０には、戸棚１７０と、大容量の壁側収納部１７２とが設けられ、壁側収納部１７２の上面は、戸棚１７０底面で発光する照明に照らされる。また、戸棚１７０の内部にも照明が設けられ、戸棚１７０の上面および前の板に設けられた透明または半透明の板材を介して間接的に発光する。かかる光は、戸棚１７０が設置された壁面上方を柔らかく照らし、その壁面に広がる間接照明によって、高級感および美観を向上する。
【００２６】
図２は、本実施形態のシステムキッチンの調理側面を説明するための外観斜視図である。ここで、システムキッチン１００は、加熱調理器１４４のグリル部１８０と、複数のカウンタ収納部１８２と、複数の足下収納庫１８４と、シンク１４０における水切りメッシュプレート１８６と、シンク１４０の下側に対応して位置する引出１９０と、引出の横で組み込まれた収納機器１９２と、を含んでいる。
【００２７】
本実施形態では、タオル掛けの使い勝手を向上させると共にその美観や高級感をも向上させる引出１９０を見出し、さらに、そのような引出１９０の横に組み込み式の収納機器１９２を並置したとしても、引出１９０外観に備わる美観や高級感を維持することができる。
【００２８】
図３は、引出１９０の詳細な構成を示した外観斜視図である。図３を参照すると、引出１９０は、引出１９０の底面に設けられたガイドレール（図示せず）に挟持されつつ、ガイドレールの長手方向に沿って前後にスライド自在であり、ガイドレールの端部に設けられたストッパ（図示せず）によって脱落が防止される。
【００２９】
また、引出１９０は、収納筐体２００と、収納筐体２００の前板２０２から離間して略水平に設けられた棒状の第１タオル掛け２０４と、第１タオル掛け２０４よりさらに離間して設けられ、第１タオル掛け２０４への所定方向からの接触を防止し、かつ引出１９０の引き手として機能するように収納筐体２００の前板２０２の上端を高さ方向に跨いで前板２０２に固定される第１保護部材２０６と、から構成される。
【００３０】
ここで、収納筐体２００の前板２０２は、２つの部材（第１保護部材２０６を固定する第１上部部材２０２ａと収納筐体２００の収容側面の一面を成す下部部材２０２ｂ）を接合して形成されているが、本実施形態では収納筐体２００の前面を形成する一体の板として説明する。
【００３１】
引出１９０の横には、例えば、食器洗浄機や乾燥機といった収納機器１９２を開閉可能に組み込むことができる領域が確保されている。本実施形態におけるシンク１４０下の領域にはシンク１４０の幅に対応した空間を確保することができるので、引出１９０の他にこのような収納機器１９２を備えることができる。また、かかる領域がシンク１４０の近隣にあるので、ここでは、洗浄前や後の食器の置き換えの利便性から、収納機器１９２として食器洗浄機、乾燥機を挙げているが、かかる場合に限られず、オーブンや他の電気料理器を設けることも可能である。
【００３２】
また、引出１９０および収納機器１９２の上方には、シンク１４０の手前を閉塞する第１幕板２２２ａと第２幕板２２０が設けられる。第１幕板２２２ａおよび第２幕板２２０の第２上部部材２２２ｂは、引出１９０を収納したときに収納筐体前板２０２の上方向および横方向（収納機器１９２の上方向）において収納筐体前板２０２と略同一面を形成する。また、第２幕板２２０は、上記第２上部部材２２２ｂの他、第２上部部材２２２ｂの前面側において、第１タオル掛け２０４と略同一線上に形成される第２タオル掛け２２４と、第２上部部材２２２ｂの前面側において、第１保護部材２０６と水平方向に形状が連なる第２保護部材２２６と、から構成される。
【００３３】
第１タオル掛け２０４および第２タオル掛け２２４は、第１保護部材２０６および第２保護部材２２６のシステムキッチン１００前面への水平投影領域に含まれている。即ち、手前から見ると第１タオル掛け２０４および第２タオル掛け２２４が第１保護部材２０６および第２保護部材２２６に隠れて見えなくなる。従って、タオル掛け付近の複雑な構造を目視させずに済む。
【００３４】
ここでは、収納筐体前板２０２に対して、第１タオル掛け２０４および第２タオル掛け２２４あるいは第１保護部材２０６および第２保護部材２２６が略平行に形成され、かつ第１保護部材２０６および第２保護部材２２６の位置、特にその上端が第１タオル掛け２０４および第２タオル掛け２２４の位置より高くなるので、より確実にユーザのタオル掛けへの接触を回避することができる。従って、ユーザがシンク１４０に寄り掛かったとしても、身体がタオルに直接接触せず、吸水したタオルの水気を逆にユーザの衣服が吸ってしまうといった状況を回避でき、また、タオルが滑り落ちてしまうこともない。
【００３５】
また、第１保護部材２０６が、棒状の第１タオル掛け２０４を覆うことができる程度の大きさで形成されているので、引き手として好適に機能し、他の作業をしつつ、手探りで引き手を引くことが可能となり、作業性を向上することができる。また、このような第１保護部材２０６の厚みによって第１タオル掛け２０４の支持強度も高くなり、手についた水を拭うときのタオル掛けへの負荷による破損の事態を招くことがなくなる。
【００３６】
さらに、第１保護部材２０６は、収納筐体２００の前面上端を高さ方向に跨いで形成されているので、引出１９０を収納したときに、前板２０２と、システムキッチン側に固定された第１幕板２２２ａとの境目が第１保護部材２０６によって隠れ、美観を向上させることが可能となる。従って、従来における、境目を作らないため収納筐体前板を上端部いっぱいに高く形成して化粧板の機能をもたせるといった対応の必要もなくなる。このように、無駄に高く形成される前板を低く抑えることで内容物を容易に収容、取り出しすることが可能となり、作業性が向上する。ここで、第１保護部材２０６の高さ方向の厚みを２分する中央線が収納筐体前板２０２の上端と等しくなるように形成されてもよい。
【００３７】
図４は、引出１９０の開閉状態を示した外観斜視図である。特に図４（ａ）では、引出１９０が収納された状態を、図４（ｂ）では引出１９０を開けたときの状態を示している。図４（ａ）を参照して理解できるように、本実施形態の第１保護部材２０６は、第２保護部材２２６と連続的に形成され、両者を合わせた幅Ｗは、シンク１４０の幅に応じて形成された境界の幅と等しくなる。このようにしてシステムキッチン１００との一体感が生じ、さらにシステムキッチン側に曲線を描きながら着地するのでシステムキッチン１００に外観上の連続性も生じるので、一体感が増し、引出１９０以外の収納機器１９２を並置したとしても、外観に備わる美観や高級感を維持することが可能である。
【００３８】
引出をスライドした状態では、図４（ｂ）に示すように、引出１９０と共に第１保護部材２０６もスライドして、一体化していた第１保護部材２０６と第２保護部材２２６とが前後に分離して意外性を感じさせることができる。
【００３９】
また、図４（ｂ）に示すように、第１幕板２２２ａおよび第２上部部材２２２ｂは、それぞれ長尺な板で構成され、第１幕板２２２ａと第２上部部材２２２ｂとをＬ字形状に組み合わせた状態で引出前板２０２の第１上部部材２０２ａと嵌合する。
【００４０】
かかる第１幕板２２２ａおよび第２上部部材２２２ｂを、全長に渡って断面形状が等しい長尺な板で構成することで、安価かつ処理の迅速化が図れる押し出し成形を用いることができる。ここで、２つの部材を連結するとその間に境界線が生じるが、かかる境界線は第２保護部材２２６の背後に隠れるので、美観を損なわない。
【００４１】
また、保護部材が設けられる２つの部材（第１上部部材２０２ａ、第２上部部材２２２ｂ）は、一方の第１上部部材２０２ａが収納筐体２００と共に移動し、他方の第２上部部材２２２ｂが第１幕板２２２ａに固定されるといったように機能が異なることとなる。
【００４２】
上述した実施形態においては、第２幕板２２０が第１幕板２２２ａに固定されるので、第２タオル掛け２２４や第２保護部材２２６は、第１タオル掛け２０４および第１保護部材２０６との外観上の連続性維持が主たる役割となるが、収納機器１９２の代わりに引出や開き戸等の可動部を採用する場合、その可動部に第２幕板２２０を固定し、第２保護部材２２６を第１保護部材２０６同様に可動部の引き手として機能させることもできる。このように、第２幕板２２０と第１幕板２２２ａとが別体に形成されているので、第２保護部材２２６を含む第２幕板２２０を固定させたり、可動させたり自由に構成することが可能である。
【００４３】
ところで、調理には多種の調理器具（台所用品）が用いられる。また、調理には加熱時間が決められている等、時間方向の制限も厳しく、その調理器具や時間加減によって料理の良し悪しが決まることさえある。ユーザは、手際よく調理を遂行するため、調理場の極力近くに調理器具を配置することを望んでいる。このような調理器具のうち、レードル等は、キッチンの引出内面または開閉扉内面のフックに吊持される。
【００４４】
本実施形態では、上述した作用・効果に加え、レードル等の調理器具の収納空間を適応的に設定または変更し、空間の利用効率、および使い勝手を向上させることが可能となる。
【００４５】
図５は、引出１９０の収容領域を示した外観斜視図である。本実施形態の引出１９０の前板２０２は、アルミニウム等の金属で形成される第１上部部材２０２ａと、木材や樹脂等の材料で形成される下部部材２０２ｂとが第２幕板材３００によって連結されている。そして、かかる第１上部部材２０２ａに水平方向のガイド溝３０２を設け、そのガイド溝３０２にフック３１０を嵌着する。そして、かかるフック３１０にレードル等の調理器具３２０を吊持させる。ここで、フック３１０は、ガイド溝３０２に嵌合しつつ、ガイド溝３０２を移動自在にスライドでき、かつ、任意の位置で嵌着される。このようにガイド溝３０２は前板内面に設けるのが好ましいが、他の面を排除するものではなく、本実施形態を収納筐体２００の側面や後面いずれの面にも適応することができる。
【００４６】
図２に示したように、通常、カウンタ収納部１８２は、上下の２段構成となり、システムキッチン１００の外観の統一を図るため、当該引出の上端もこの境界線に合わせる必要がある。しかし、本実施形態では、第１保護部材２０６が収納筐体２００の上端境目を隠すため、引き出しの前板の高さを、下部部材２０２ｂに加え第１上部部材２０２ａ分だけ延伸することができる。従って、第１上部部材２０２ａに設けられるガイド溝３０２は、引出１９０底面からの距離を長くとることができ、レードル等の調理器具３２０が長い形状だったとしても引出１９０底面に支えることなく、フック３１０に適切に吊持させることができる。
【００４７】
また、上述したフック３１０とガイド溝３０２との構成により、調理器具３２０を吊持するフック３１０の位置を自由に設定することができ、吊持を要するレードル等の調理器具３２０を収納する空間を自由に調整することが可能となる。このように占有領域を適応的に変更することが可能な構成により、空間の利用効率を向上することができる。また、調理器具の形状や大きさに応じてもフック３１０の位置を変更可能なので、複数の調理器具３２０を所望する順、例えば、図５のように、おたま、フライ返しといった具合に、利用頻度や取り易さを踏まえて並べることができ、使い勝手を向上させることができる。
【００４８】
さらに、このようなフック３１０の嵌着またはスライドに用いられるガイド溝３０２は、全長に渡って一定の断面形状を有するので、収納筐体前板を第１上部部材２０２ａと下部部材２０２ｂとに分離することで、アルミニウム等の金属からなる第１上部部材２０２ａを押し出し成形により形成することができ、簡易かつ安価に当該引出を構成することが可能となる。
【００４９】
図６は、フック３１０の形状を説明した説明図である。かかるフック３１０は、鉛直下向きに凸になるように湾曲させ調理器具３２０を吊持する吊持部３１２と、吊持部３１２と連結され吊持部３１２を支持する本体部３１４と、Ｌ字形状に形成されガイド溝３０２と嵌合する嵌合部３１６とを含んで構成される。また、嵌合部３１６は、ガイド溝３０２の幅より細い軸３２２と、軸３２２の端部に設けられ横幅がガイド溝３０２の幅より細く縦幅がガイド溝３０２の幅より太い頭部３２４とを有している。ここで、フック３１０の吊持重力方向、即ち、調理器具３２０を吊持する湾曲凸方向は、嵌合部３１６のＬ字長手方向と等しくなる。フック３１０がＬ字形に形成されるとき、ガイド溝３０２は、断面Ｌ字形溝で構成される。
【００５０】
図７は、ガイド溝３０２へのフック３１０の位置決めのための嵌着動作を説明するための説明図である。まず図７（ａ）に示すように断面Ｌ字形に形成されたガイド溝３０２に対して、フック３１０の嵌合部３１６のＬ字先端を直接挿入する。次に、図７（ｂ）に示すが如く、フック３１０を、ガイド溝長手方向を中心軸にして回動し、Ｌ字先端をガイド溝３０２に押入して嵌着が完了する。ここでは、フック３１０の掛止重力方向が嵌合部３１６であるＬ字端の長手方向と等しくなる。ここでガイド溝３０２のＬ字方向は、固定強度が有利な断面Ｌ字上方向としたが、かかる場合に限らず、断面Ｌ字下方向にガイド溝３０２を設けてもよい。
【００５１】
上述した本実施形態の嵌着処理には、ネジ等の締結部材を要さず、摩擦によって簡易になされるので、コスト低減を図ることが可能となる。また、スライドおよび嵌着を、治具を用いることなく、片手で容易に実行することができる。さらに、一度嵌着させるとその摩擦によって回動が抑制され、かつ、フック３１０の本体部３１４と嵌合部３１６との応力によってフックの掛止重力方向への高い機械強度を得ることができる。特に、本実施形態においては、ガイド溝３０２がアルミニウム等の金属上に形成されるため、フック３１０をさらに強固に固定することができる。
【００５２】
図８は、ガイド溝３０２へのフック３１０の位置決めのためのスライドおよび嵌着動作を説明するための説明図である。まず図８（ａ）に示すように断面Ｌ字形に形成されたガイド溝３０２に対して、フック３１０を水平方向に倒し、Ｌ字端をガイド溝に沿わして挿入する。次に、図８（ｂ）に示すが如く、フック３１０を水平方向に倒した状態のままで、フック３１０を所望する取り付け位置にスライドさせ、最後に図８（ｃ）のように、フック３１０を、軸３２２を中心に回転させ、垂直姿勢にして嵌着が完了する。ここでは、フック３１０の掛止重力方向が嵌合部３１６であるＬ字端の長手方向と等しくなる。
【００５３】
上述した本実施形態の嵌着処理も、摩擦によって簡易になされ、コスト低減を図ることが可能となる。また、スライドおよび嵌着を、治具を用いることなく、片手で容易に実行することができ、フックの掛止重力方向への高い機械強度を得ることができる。
【００５４】
また、フック３１０の露出部分である本体部３１４は、縦横比を均等とせず、フックの嵌着時に露出部分の長手方向が鉛直方向となるように形成される。
【００５５】
フック３１０の本体部３１４は、図６に示したような長方形の他、楕円形、菱形等の縦横比が不均等な形状で形成され、ユーザは、かかる本体部３１４の長手方向が鉛直方向になるように回転するだけで、視認不能な嵌合部を適切な嵌合位置に容易に回動できる。また、何らかの外力が働いて、フック３１０が嵌着位置から回転推移してしまい、外れかかったとしても、上記長手方向の傾斜によってその旨および回動方向を容易に察知することが可能となり、元の嵌着位置に戻すことができる。
【００５６】
また、フック３１０は、例えば、樹脂によって形成されるため、着色やマーキングによってその方向を指示することも可能である。こうして、上記同様、フック３１０を容易にガイド溝３０２に嵌着することができる。
【００５７】
上述した実施形態においては、フック３１０の嵌合部３１６をＬ字形状で形成したが、かかる場合に限らず、例えば、Ｔ字形状等、様々な掛止構造を採用することができる。
【００５８】
図９は、Ｔ字形状のフック４１０およびそれに対応する断面Ｔ字形のガイド溝４０２の形状を説明した説明図である。かかるフック４１０は、Ｌ字形状のフック３１０同様、吊持部３１２と、本体部３１４と、図９に示すような断面Ｔ字形状に形成されるガイド溝４０２に嵌合する嵌合部４１６とを含んで構成される。
【００５９】
さらに、フックの嵌合部は、弾性を利用したラッチ機構を有し、フックは、挿嵌によっても嵌着可能であってもよい。
【００６０】
図１０は、Ｔ字形状のフックの他の例を示した説明図である。図１０（ａ）のフック４２０は、フック４１０同様、Ｔ字形状を有しているが、嵌合部４２２に弾性部材４２４を有し、その弾性部材４２４を用いたラッチ機構によってフック４２０を回転せずに挿嵌することができる。このとき、嵌合部４２２の端部は、半球形状になっており、嵌入時には一旦端部が弾性部材４２４に反して縮まり、Ｔ字溝の終端（幅広部）にたどり着くことで再度元の形状に戻る。また、図１０（ｂ）のフック４３０は、図１０（ａ）のフック４２０同様、Ｔ字形状を有しているが、嵌合部４３２が樹脂の弾性を利用したすりわり形状になっている。また、フック４２０と比較すると、嵌合部４３２の端部形状が異なり、フック４３０では、フック嵌入後は、嵌入時と等しい経路による離脱が不可能となり、回転によってのみ離脱が可能となる。
【００６１】
かかる構成により、フックを回転させなくても、鉛直方向の向きを維持したままでガイド溝に挿嵌することができる。従って、例えば、調理器具を吊持したままその吊持位置を決定することも可能となる。
【００６２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００６３】
本発明は、タオル掛けが設けられたシステムキッチンに利用することができる。
【図面の簡単な説明】
【００６４】
【図１】本実施形態によるシステムキッチンの概略的な構成を説明するための外観斜視図である。
【図２】本実施形態のシステムキッチンの調理側面を説明するための外観斜視図である。
【図３】引出の詳細な構成を示した外観斜視図である。
【図４】引出の開閉状態を示した外観斜視図である。
【図５】引出の収容領域を示した外観斜視図である。
【図６】フックの形状を説明した説明図である。
【図７】ガイド溝へのフックの嵌着動作を説明するための説明図である。
【図８】ガイド溝へのフックのスライドおよび嵌着動作を説明するための説明図である。
【図９】Ｔ字形状のフックおよびそれに対応する断面Ｔ字形のガイド溝の形状を説明した説明図である。
【図１０】Ｔ字形状のフックの他の例を示した説明図である。である。
【符号の説明】
【００６５】
１００  …システムキッチン
１４０  …シンク
１８２  …カウンタ収納部
１９０  …引出
１９２  …収納機器
２００  …収納筐体
２０２  …前板
２０２ａ  …第１上部部材
２０２ｂ  …下部部材
２０４  …第１タオル掛け
２０６  …第１保護部材
２２０  …第２幕板
２２２ａ  …第１幕板
２２２ｂ  …第２上部部材
２２４  …第２タオル掛け
２２６  …第２保護部材
３０２  …ガイド溝
３１０  …フック
【図１】
0005153229.tif 000002
【図２】
0005153229.tif 000003
【図３】
0005153229.tif 000004
【図４】
0005153229.tif 000005
【図５】
0005153229.tif 000006
【図６】
0005153229.tif 000007
【図７】
0005153229.tif 000008
【図８】
0005153229.tif 000009
【図９】
0005153229.tif 000010
【図１０】
0005153229.tif 000011